(57)【特許請求の範囲】
【請求項１】
長手方向に延在し、上面が開口する断熱箱体（２）と、この断熱箱体（２）内の左右両側に設けられた吸込冷気ダクト（４）と、前記断熱箱体（２）内の中央部に設けられた吐出冷気ダクト（８）と、前記吸込及び吐出冷気ダクト（４、８）に設けられた断熱材（１７）と、前記吸込及び吐出冷気ダクト（４、８）に跨って設けられた複数のローラ（１５）からなるコンベア部（５）と、このコンベア部（５）の下に所定の深さを有して設けられた物品貯蔵用スペース（６）と、前記吐出冷気ダクト（８）の上に当該ダクトと連通させて設けられていて上部に吐出部（１０）を有する吐出筒（９）とを備え、
前記吐出冷気ダクト（８）内に送風された冷気が吐出筒（９）内に導入されて吐出部（１０）の左右両側に形成された冷気吐出口（１２）からコンベア部（５）上に吐出され、当該吐出された冷気がローラ（１５）間の隙間から物品貯蔵用スペース（６）内に流下し、吸込冷気ダクト（４）に吸い込まれるように構成されていることを特徴とする低温コンベア装置。
【発明の詳細な説明】
【０００１】
【発明の属する技術分野】
本発明は、低温荷物の仕分け、食品加工等の作業を行う低温コンベア装置に関する。
【０００２】
【従来の技術】
従来この種低温コンベア装置として、特開平１０−１３２４３９号公報（Ｆ２５Ｄ  １３／０６）には、コンベアにより搬送される物品を冷却する冷却装置において、このコンベアの搬送方向に沿って左サイドに配置されている左テーブルと、前記コンベアの搬送方向に沿って右サイドに配置されている右テーブルと、前記各テーブルの上面に形成されている上面冷気吐出口と、前記左テーブルの左側面に形成されている左冷気吸い込み口と、前記右テーブルの右側面に形成されている右冷気吸い込み口とを備えている冷却装置が開示されている。
【０００３】
【発明が解決しようとする課題】
この様な従来技術では、例えば、少量の被冷却物を扱う場合であっても、全てのコンベアを冷却していると共に、加工前の被冷却物は、別途用意した保冷庫などに冷却保存しなければならない。
このため、作業性が悪いと共に、省エネルギーの見地からも好ましくないものであった。
本発明は上述した問題点に鑑みてなされたもので、作業性の向上を図ると共に、省エネルギー化を目的とした低温コンベア装置を提供する。
【０００４】
【課題を解決するための手段】
上記目的を達成するための手段として、本発明は、長手方向に延在し、上面が開口する断熱箱体と、この断熱箱体内の左右両側に設けられた吸込冷気ダクトと、前記断熱箱体内の中央部に設けられた吐出冷気ダクトと、前記吸込及び吐出冷気ダクトに設けられた断熱材と、前記吸込及び吐出冷気ダクトに跨って設けられた複数のローラからなるコンベア部と、このコンベア部の下に所定の深さを有して設けられた物品貯蔵用スペースと、前記吐出冷気ダクトの上に当該ダクトと連通させて設けられていて上部に吐出部を有する吐出筒とを備え、前記吐出冷気ダクト内に送風された冷気が吐出筒内に導入されて吐出部の左右両側に形成された冷気吐出口からコンベア部上に吐出され、当該吐出された冷気がローラ間の隙間から物品貯蔵用スペース内に流下し、吸込冷気ダクトに吸い込まれるように構成された低温コンベア装置を提供する。
【０００５】
低温コンベア装置を複数台併設し、一方の低温コンベア装置のコンベア部上で作業を行ない、他方の低温コンベア装置の物品貯蔵用スペースで被冷却物を保冷する事ができる。
【０００６】
【発明の実施の形態】
以下、本発明の実施の形態を図面に基づいて説明する。
【０００７】
図１は本発明の低温コンベア装置の断面図、図２は複数台の低温コンベア装置を示す斜視図、図３はコンベア部を開放した状態を示す低温コンベア装置の断面図である。
【０００８】
図１における１は本発明の低温コンベア装置で、長手方向に延在している。そして、この低温コンベア装置１は、上面が開口した断面コ字状の断熱箱体２と、この断熱箱体２内の中央部に設けられた冷気吐出部３と、断熱箱体２内の左右両側に設けられ、図示しない冷気吸込口が穿設された吸込冷気ダクト４と、これら冷気吐出部３及び吸込冷気ダクト４の間に架設されたコンベア部５と、このコンベア部５、冷気吐出部３、吸込冷気ダクト４、及び断熱箱体２の底壁２Ａにて囲われ、被冷却物Ａを保冷する物品貯蔵用スペース６と、前記断熱箱体２の下に設けられた架台７とより成る。尚、この架台７には高さ調整可能な台脚７Ａが取り付けられている。
【０００９】
前記冷気吐出部３は、断熱箱体２内に位置する吐出冷気ダクト８と、この吐出冷気ダクト８の上に設けられ、吐出冷気ダクト８と連通する吐出筒９と、この吐出筒９の上部に設けられた吐出部１０とよりなるものである。
【００１０】
そして、前記吐出冷気ダクト８は吐出筒９に対して幅広に形成されており、段差１１が形成されている。
【００１１】
また、図１中白抜き矢印に示す如く、前記吐出部１０には、左右両側に冷気吐出口１２が形成され、この冷気吐出口１２には、下方へ冷気を送る送風フィン１３が形成されている。更に、吐出筒９の中間部には左右方向に冷気を送る図示しない送風口が穿設されている。
【００１２】
また、前記コンベア部５はフレーム１４、１４と、このフレーム１４、１４間に架設された複数のローラ１５とよりなる。そして、このコンベア部５は、図１に示す如く、前記吐出冷気ダクト８の段差１１上、及び吸込冷気ダクト４上に設けられている。
更に、図３に示す如く、前記フレーム１４の吐出筒９側にヒンジなどを設ける事で、前記吐出筒９方向に跳ね上げる事ができる構造とする。
【００１３】
尚、跳ね上げた状態では、フレーム１４、１４のヒンジ側に設けられた図示しないロック機構で跳ね上げ状態を保持するか、前記吐出筒９に設けられたステー１６で跳ね上げ状態を保持する。更には、コンベア部５自体を着脱可能としても良い。
【００１４】
そして、このステー１６は先端にフックなどを形成し、このフックをフレーム１４、１４、或いはローラ１５の軸などに引っ掛ける構造である。
【００１５】
また、前記吸込冷気ダクト４及び吐出冷気ダクト８には、断熱材１７が設けられており、この断熱材１７によって、吐出冷気ダクト８内の吐出冷気の温度上昇や、吸込冷気ダクト４による物品貯蔵用スペース６の温度上昇を極力防止する事ができる。
【００１６】
また、前記吸込冷気ダクト４及び吐出冷気ダクト８自体を断熱材でもって形成しても良い。
【００１７】
上述した様な低温コンベア装置１は、一般的には図２に示す如く、複数台連結して用いる。
【００１８】
そして、作業する被冷却物Ａの数があまり多くない場合などは、図２中右側の低温コンベア装置１Ａ及び１Ｂを作業台として用い、図３に示す如く、左側の低温コンベア装置１Ｃの物品貯蔵用スペース６を用いて、保冷するというレイアウトとする。
【００１９】
また、更に作業する被冷却物Ａの数が少ない場合、右側の低温コンベア装置１Ａを作業台として用い、中央の低温コンベア装置１Ｂを保冷用として用いる。そして、左側の低温コンベア装置１Ｃへの冷気の供給を停止する事で、冷却する低温コンベア装置１Ａ、１Ｂのみに冷気を送る事ができるため、省エネルギー効果を奏するものである。
【００２０】
次に、冷気の流れを説明する。
【００２１】
まず、図示しない熱交換器にて冷却された冷気は、図示しない送風機でもって吐出冷気ダクト８に送られ、吐出筒９に導入される。この吐出筒９には、上部に冷気吐出口１２、中間部に送風口が形成されているため、冷気は図１中白抜き矢印の方向に吐出される。
【００２２】
そして、コンベア部５上で作業されている被冷却物Ａを冷却し、コンベア部５のローラ１５、１５間の隙間から物品貯蔵用スペース６に落下し、前記吸込冷気ダクト４に導入されて、前述した熱交換器に戻る事となる。
【００２３】
また、保冷庫として用いる場合、図３に示す如くコンベア部５を跳ね上げた状態で、図１の如き冷気循環を行う事で、物品貯蔵用スペース６を冷却する。
【００２４】
【発明の効果】
以上詳述した如く、本発明によると、低温コンベア装置を複数台併設し、一方の低温コンベア装置のコンベア部上で作業を行ない、他方の低温コンベア装置の物品貯蔵用スペースで被冷却物を保冷する事ができる。
【００２５】
従って、他の保冷機器を別の場所に設置しなくても良く、隣接する低温コンベア装置で被冷却物を保冷する事ができるため、作業性向上を図る事ができる。
【００２６】
また、一部の低温コンベア装置を冷却する事ができると共に、他の冷却機器を用いないため、使用しない低温コンベア装置や、他の機器のためのエネルギーが不要となり、省エネルギー効果を奏するものである。
【図面の簡単な説明】
【図１】本発明の低温コンベア装置の断面図である。
【図２】複数台の低温コンベア装置を示す斜視図である。
【図３】コンベア部を開放した状態を示す低温コンベア装置の断面図である。
【符号の説明】
Ａ  被冷却物
１  低温コンベア装置
２  断熱箱体
４  吸込冷気ダクト
５  コンベア部
６  物品貯蔵用スペース
８  吐出冷気ダクト
１７  断熱材
【図１】
0004220084.tif 000002
【図２】
0004220084.tif 000003
【図３】
0004220084.tif 000004